(57)【要約】      （修正有）【課題】副情報領域におけるランド面の反射率とグルーブ面の反射率との差が３０％以上となりＢＣＡマークの誤判読が発生するのを防止する。【解決手段】一方の主面に螺旋状の溝１２が形成された円環状の基板１１と、この主面側に、表面に基板の溝に対応するグルーブ１３ｂが形成されレーザ光を反射する光反射層１３と、光記録層１４と、保護層１５と、光透過層１７と、をこの順に有し、主情報領域とこれより内周側の副情報領域とを備え、副情報領域のグルーブのトラックピッチＴｒＢが０．３２μｍ以下であり、このグルーブの深さＤとグルーブの半値幅ＷとがＷ≧２Ｄ＋７０で表される関係を満たすものである。これにより、副情報領域におけるランド面の反射率とグルーブ面の反射率と差を３０％未満に抑えることができるので、ＢＣＡマークの誤判読の発生を防止することができる。【選択図】図３
2008198276.tif 000002
【特許請求の範囲】
【請求項１】
一方の主面に螺旋状の溝が形成された円環状の基板と、該基板の前記主面上に、表面に前記基板の溝に対応するグルーブが形成されレーザ光を反射する光反射層と、レーザ光を吸収する有機色素から構成された光吸収物質を含む光記録層と、保護層と、光透過層と、をこの順に有し、前記光記録層にレーザ光を照射することにより光学的に読み取り可能な主情報を記録するための主情報領域と該主情報領域より内周側に前記主情報とは種類の異なる副情報を記録するための副情報領域とを備えた光情報記録媒体であって、前記副情報領域のグルーブのトラックピッチＴｒＢが０．３２μｍ以下であり、前記副情報領域のグルーブの深さＤとグルーブの半値幅ＷとがＷ≧２Ｄ＋７０で表される関係を満たすことを特徴とする光情報記録媒体。
【発明の詳細な説明】
【技術分野】
【０００１】
本発明は、ディスク状の光情報記録媒体に関し、より具体的には、ユーザー情報のほかに、管理情報がバーコード状に記録される光情報記録媒体に関する。
【背景技術】
【０００２】
従来より、光ディスクにおいては、シリアル番号やロット番号などの管理情報をバーコード化して光ディスク上に記録し、正規の製造者もしくは販売者の光ディスクであるか否かを識別する手法などに用いられている。
【０００３】
特に、ＤＶＤ−ＲＯＭ等の光情報記録媒体には、ＢＣＡ（Ｂｕｒｓｔ  Ｃｕｔｔｉｎｇ  Ａｒｅａ）にバーコード状にマーク（以下、「ＢＣＡマーク」と称する）を記録し、光ディスクを再生するドライブに備えられた光ヘッドでＢＣＡマークを読み取る方式が提案され、実用化されている。特許文献１には、図４に示すように、外径１２０ｍｍ、内径１５ｍｍ、厚さ約１．１ｍｍのディスク状の基板上に光反射層と相変化記録層と厚さ約０．１ｍｍの透明層を有し、ディスクの中心から２１ｍｍ〜２２ｍｍの範囲にＢＣＡマーク１０４が記録されたＢＣＡ領域１０１と、中心から２２．４ｍｍ〜２３．２ｍｍの範囲に再生専用領域１０２と、中心から２３．２ｍｍ〜５８．６ｍｍの範囲に記録再生領域１０３とが設けられ、開口数約０．８５の光ヘッドから波長約４０５ｎｍのレーザ光を前記透明層側から照射して前記記録再生領域にユーザー情報の記録可能な光情報記録媒体１００が記載されている。前記相変化記録層は書き換えが可能であるため、ＢＣＡ領域１０１のトラックピッチを記録再生領域１０３のトラックピッチに比べて５倍程度に広くすることにより、記録再生領域１０３への情報記録用ドライブによるＢＣＡマーク１０４の改ざんを防止することが提案されている。上記ＢＣＡマークの形成にあたっては、波長約６５０ｎｍ，レーザーパワー約９００ｍＷの高出力の赤色レーザが用いられる。このため、該レーザ光が照射された箇所においては、前記相変化記録層及び前記光反射層が前記レーザ光により焼き切られて開口を生じ、この地点での反射率は０％に近い値となる。上記ＢＣＡマークの読み取りにあたっては、開口数０．８５の光ヘッドを用いて波長４０５ｎｍのレーザ光を前記透明層側から照射する。光情報記録媒体に照射され、反射されたレーザ光は、再び光ヘッドにより検出され、通常、反射率３０％を閾値としてＡＤ変換されてＢＣＡマークの有無が判別される。具体的には、前記ＢＣＡ領域内のＢＣＡマークでない部分における反射率とＢＣＡマーク部分の反射率との間に３０％以上の差があると、ＢＣＡマークとして検出される。また、特許文献２には、書き換え可能な相変化記録層の代わりに非可逆の色素記録層を有する光情報記録媒体に上記と同様にＢＣＡ領域を設けることが記載されている。具体的には、外径１２０ｍｍ、内径１５ｍｍ、厚さ約０．６ｍｍの透光性の基板上に色素材料による光吸収層と光反射層とを有し、ディスクの中心から２２．２ｍｍ〜２３．２ｍｍの範囲にＢＣＡ領域、中心から２３．４ｍｍ〜２３．８ｍｍの範囲に管理情報領域、中心から２３．８ｍｍ〜５８．５ｍｍの範囲にユーザー情報領域とが設けられ、波長４００μｍ〜４２０μｍのレーザ光を前記透光性の基板側から照射することにより前記ユーザー情報領域にユーザー情報を記録可能なＨＤ  ＤＶＤ−Ｒタイプの光情報記録媒体が記載されており、ミラー部分とミラー部分に挟まれたグルーブを有するＢＣＡ領域のトラックピッチがユーザー情報領域のトラックピッチより狭いグルーブを有するＢＣＡ領域にＢＣＡマークを形成することにより、ＢＣＡマーク記録装置の位置精度よりも高い精度でＢＣＡマークを目的の位置に形成できるようにした光情報記録媒体が提案されている。
【０００４】
【特許文献１】特表２００５−５１８０５５号公報
【特許文献２】特開２００６−８５７９１号公報
【発明の開示】
【発明が解決しようとする課題】
【０００５】
上記の前者の背景技術に記載された厚さ約１．１ｍｍの基板上に光反射層と相変化記録相と厚さ約０．１ｍｍの光透過層を有し、ＢＣＡ領域１０１のトラックピッチを記録再生領域１０３のトラックピッチに比べて５倍程度に広くした光情報記録媒体において、前記相変化記録層の代わりに有機色素を含有する記録層を用いると、前記ＢＣＡ領域において、グルーブ面では光の干渉が大きくなって反射率が低下する一方、トラックピッチが５倍程度に広げられたランド面では高い反射率が得られ、ランド面の反射率とグルーブ面の反射率と差（以下、「反射率差」と称する）が３０％以上になる。このため、ＢＣＡマークの読み取り時に前記グルーブ面における反射率の低下をＢＣＡマークの一部と勘違いしてバーコード情報の誤判読が発生してしまうという課題があった。また、上記後者の背景技術に記載された厚さ約０．６ｍｍの透光性の基板上に色素材料による光吸収層と光反射層とを有し、ＢＣＡ領域のトラックピッチがユーザー情報領域のトラックピッチより狭いグルーブを有する光情報記録媒体においては、ＢＣＡ領域におけるグルーブの幅：Ｗ（以下、「半値幅」と称する）に対してグルーブの深さ：Ｄが比較的大きいため、上記と同様にグルーブ面において光の干渉が大きくなって反射率が低下し、ランド面の反射率とグルーブ面の反射率と差（以下、「反射率差」と称する）が３０％以上になる。このため、バーコード情報の誤判読の発生が避けられないという課題があった。  
【０００６】
本発明の目的は、上記課題を解決して、色素材料により光記録層が形成されている光情報記録媒体において、ＢＣＡ領域におけるランド面の反射率ＲＬとグルーブ面の反射率ＲＧと差（以下、「反射率差」と称する）ＲＬ−ＲＧを３０％未満に抑えることが可能な光情報記録媒体を提供することにある。
【課題を解決するための手段】
【０００７】
前記目的を達成するため、本発明の光情報記録媒体は、（１）一方の主面に螺旋状の溝が形成された円環状の基板と、該基板の前記主面上に、表面に前記基板の溝に対応するグルーブが形成されレーザ光を反射する光反射層と、レーザ光を吸収する有機色素から構成された光吸収物質を含む光記録層と、保護層と、光透過層と、をこの順に有し、前記光記録層にレーザ光を照射することにより光学的に読み取り可能な主情報を記録するための主情報領域と該主情報領域より内周側に前記主情報とは種類の異なる副情報を記録するための副情報領域とを備えた光情報記録媒体であって、前記副情報領域のグルーブのトラックピッチＴｒＢが０．３２μｍ以下であり、前記副情報領域のグルーブの深さＤとグルーブの半値幅ＷとがＷ≧２Ｄ＋７０で表される関係を満たすものである。  
【０００８】
上記の課題解決手段による作用は次の通りである。すなわち、前記副情報領域のグルーブのトラックピッチＴｒＢが０．３２μｍ以下であり、前記副情報領域のグルーブの深さＤとグルーブの半値幅ＷとがＷ≧２Ｄ＋７０で表される関係を満たすので、ランド面における反射率ＲＬとグルーブ面における反射率ＲＧとの差を３０％未満とすることができる。
【発明の効果】
【０００９】
本発明の光情報記録媒体によれば、副情報領域におけるランド面の反射率ＲＬとグルーブ面の反射率ＲＧとの差（以下、「反射率差」と称する）ＲＬ−ＲＧを３０％未満に抑えることができるので、ＢＣＡマークの誤判読の発生を防止することができる。本発明の前記目的とそれ以外の目的、構成特徴、作用効果は、以下の説明と添付図面によって明らかとなろう。
【発明を実施するための最良の形態】
【００１０】
以下、本発明の光情報記録媒体の第１の実施形態について、図１〜図３を参照して説明する。図１は第１の実施形態の光情報記録媒体１０の全体構造を示す平面図である。図２は前記実施形態の内部構造の概要を説明するための上記図１における破線で囲まれたＢの領域を示す部分拡大断面図である。また、図３は前記実施形態の内部構造の詳細を説明するための上記図２における破線で囲まれたＣの領域を示す部分拡大断面図である。  
【００１１】
図１に示すように、本実施形態の光情報記録媒体１０は、中心孔５を有し、外径約１２０ｍｍ、内径約１５ｍｍ、厚さ約１．２ｍｍのディスク状の外観を有するものである。該光情報記録媒体１０の一方の主面側には、内周側の中心から２２．０ｍｍ〜２３．０ｍｍの範囲にトラックピッチ０．３２μｍで後述するグルーブが形成された副情報領域１が設けられている。該副情報領域１内には、必要によりＢＣＡマーク４が形成される。また。前記副情報領域１の外周側には中心から２３．０ｍｍ〜２３．２ｍｍの範囲にグルーブを有さないミラー領域２が設けられている。また、該ミラー領域２の外周側には、中心から２３．２ｍｍ〜５８．６ｍｍの範囲にトラックピッチ０．３２μｍでグルーブが形成された主情報領域３が設けられている。そして、前記光情報記録媒体１０の図１において破線で囲まれたＢの領域の内部構造の概要は、図２に示すように、一方の主面に螺旋状の溝１２が形成された厚さが約１．１ｍｍの円環状の基板１１と、該基板１１の前記主面上に、後述するようにレーザ光を反射する光反射層１３とレーザ光を吸収する有機色素から構成された光吸収物質を含む光記録層１４と、保護層１５と、厚さ約０．１ｍｍの光透過層１７と、をこの順に有する。前記主情報領域３に記録情報に基づいて波長４００〜４２０ｎｍ（例えば４０５ｎｍ）のレーザ光を照射することにより、前記光記録層１４に光学的に読み取り可能な主情報が記録される。また該主情報領域３より内周側に前記主情報とは種類の異なる例えばＢＣＡマーク４等の副情報を記録するための副情報領域１とを備える。そして、該副情報領域１の図２において破線で囲まれたＣの領域の
内部構造の詳細は、図３に示すように、前記基板１１の一方の主面にはトラックピッチＴｒＢで溝１２が形成されている。該基板１１の前記溝１２が形成された面上に光反射層１３、光記録層１４、保護層１５、及び該保護層１５上に接着剤層１６により厚さ約０．１ｍｍのシート状の光透過層１７が接着されている。前記光反射層１３の前記基板１１の溝１２が形成された主面と接する側とは反対側の表面には、前記基板１１の溝１２に対応するように前記基板１１の溝１２と等しいトラックピッチＴｒＢで螺旋状に形成されたグルーブ１３ｂと、該グルーブ１３ｂに隣接するランド１３ａとが形成されている。前記副情報領域１のグルーブ１３ｂのトラックピッチＴｒＢは例えば０．３２μｍであり、前記副情報領域１のグルーブ１３ｂの深さＤが例えば３５ｎｍ，該グルーブ１３ｂの半値幅Ｗが例えば１４０ｎｍで、２Ｄ＋７０の値が１４０となり前記半値幅Ｗと等しく、Ｗ≧２Ｄ＋７０で表される関係を満たしている。また、前記主情報領域３に形成されるグルーブは、図示省略するが、例えば、前記副情報領域１に形成されるグルーブ１３ｂと同様に、トラックピッチが０．３２μｍ、グルーブの深さが３５ｎｍ，該グルーブの半値幅が１４０ｎｍである。  
【００１２】
次に、上記基板１１の好ましい実施形態は次の通りである。すなわち、上記基板１１としては、従来の光情報記録媒体の基板材料として用いられている各種の材料を任意に選択して使用することができる。具体的には、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン、ポリエステル樹脂、アルミニウム等の金属、ガラス等を挙げることができ、必要によりこれらを併用してもよい。上記材料の中では、成型性、耐湿性、寸法安定性及び低価格等の点から熱可塑性樹脂が好ましく、ポリカーボネートが特に好ましい。これらの樹脂を用いた場合には、射出成形等の方法で所定の形状（光ディスクなら円環状）に基板１１を作成することが好ましい。また、上記基板１１の厚さは０．９〜１．１ｍｍの範囲とすることが好ましい。また、これに限るものではなく、例えば紫外線硬化性樹脂を用いて、基台上に塗布し塗膜を硬化させて用いることもできる。
【００１３】
次に、上記螺旋状の溝１２の好ましい実施形態は次の通りである。すなわち、上記溝１２としては、上記基板１１の一方の主面における内周側の副情報領域と外周側の主情報領域とにそれぞれ形成されていることが好ましい。前記主情報領域３の溝としては、トラックピッチが例えば０．３２μｍで螺旋状に形成されていることが好ましい。また、前記副情報領域１の溝１２としては、トラックピッチＴｒＢが０．３２μｍ以下で螺旋状に形成されていることが好ましい。また、前記副情報領域１の溝１２の深さが前記主情報領域３の溝の深さに等しいことがより好ましい。また、前記副情報領域１の溝１２の半値幅は前記主情報領域の溝の半値幅に等しいことがより好ましい。前記溝１２は、前記基板１１の射出成型に用いられる金型内に、一方の主面に前記溝１２とは逆パターンの螺旋状の凸条の微細加工が施されたスタンパと呼ばれる型板を配置して前記基板１１の射出成型時に同時に形成されることが好ましい。
【００１４】
次に、上記光反射層１３の好ましい実施形態は次のとおりである。上記光反射層１３はデータの記録および／または再生用のレーザ光を反射させるものであり、本発明においては、レーザ光に対する反射率を高めたり、記録再生特性を改良する機能を付与するために、基板１１と光記録層１４との間に設けられることが好ましい。上記光反射層１３としては、Ａｕ，Ａｌ，Ａｇ，ＣｕあるいはＰｄ等の金属膜、これらの金属の合金膜あるいはこれらの金属に微量成分が添加された合金膜等が好ましく、例えば蒸着法、イオンプレーティング法、スパッタリング法、等により前記基板１１の溝１２が形成された面上に形成されることが好ましい。中でも、量産性、コストの面からスパッタリング法が特に好ましい。前記光反射層１３の前記基板の主面と接する側とは反対の表面には、前記基板１１の溝１２に対応するように前記基板１１の溝１２と等しいトラックピッチで螺旋状のグルーブ１３ｂが形成されることが好ましい。また、該グルーブ１３ｂは、前記基板１１の前記螺旋状の溝が形成された主面上に前記光反射層１３をスパッタリング法等により一様な厚みで形成することにより形成されることが好ましい。
【００１５】
次に、上記グルーブ１３ｂの好ましい実施形態は次の通りである。すなわち、上記グルーブ１３ｂとしては、上記基板１１の一方の主面上に設けられた上記光反射層１３の表面に前記基板１１の溝１２に対応して、内周側の副情報領域１と外周側の主情報領域３とにそれぞれレーザ光照射による記録及び／又は再生のトラッキングガイド用にそれぞれ螺旋状に形成されていることが好ましい。前記主情報領域３のグルーブとしては、トラックピッチが例えば０．３２μｍが好ましい。また、前記副情報領域１のグルーブ１３ｂとしては、トラックピッチＴｒＢが０．３２μｍ以下が好ましく、前記グルーブ１３ｂの半値幅Ｗと前記グルーブ１３ｂの深さＤとが、Ｗ≧２Ｄ＋７０の関係を満たすことが好ましい。また、前記グルーブ１３ｂの深さＤが前記主情報領域のグルーブの深さに等しいことがより好ましい。また、前記グルーブ１３ｂの半値幅Ｗは前記主情報領域のグルーブの半値幅に等しいことがより好ましい。
【００１６】
次に、上記光記録層１４の好ましい実施形態は次の通りである。すなわち、上記光記録層１４としては、レーザ光を吸収する有機色素から構成された光吸収物質を含むことが好ましい。中でも、レーザ光照射によりピットが形成されデータが記録される色素型の光記録層であることが好ましい。上記有機色素としては、フタロシアニン色素、シアニン色素、アゾ系色素等が好ましく、例えば、化学式１に示すアゾ色素を結合剤等と共に例えばＴＦＰ（テトラフルオロプロパノール）等の溶剤に溶解して塗布液を調整し、次いで、この塗布液を前記基板１１上に直接もしくは例えば上記光反射層等の他の層を介してスピンコート法やスクリーン印刷法等により塗布して塗膜を形成した後、例えば温度８０℃で３０分間程度乾燥することにより形成することが好ましい。
【化１】
2008198276.tif 000003
【００１７】
次に、上記保護層１５の好ましい実施形態は次のとおりである。上記保護層１５は、上記光記録層１４と後述する光透過層１７との間に、記録特性等の調整や接着性向上あるいは光記録層１４の保護等を目的として形成されることが好ましい。上記保護層１５としては、ＳｉＯ２、ＺｎＳ−ＳｉＯ２、Ｎｂ２Ｏ５−Ａｌ２Ｏ５等からなる透明な膜が好ましく、例えば蒸着法、イオンプレーティング法、スパッタリング法、等により前記光記録層１４が形成された面上に形成されることが好ましい。中でも、量産性、コストの面からスパッタリング法が特に好ましい。
【００１８】
次に、上記接着剤層１６の好ましい実施形態は次の通りである。すなわち、上記接着剤層１６としては、エポキシ系その他の透明な反応性硬化樹脂、もしくは紫外線硬化性の透明な樹脂を主成分とするものが好ましく、スピンコート法やスクリーン印刷法等の手段により前記保護層１５上及び／又は後述する厚さ約０．１ｍｍのシート状の光透過層１７の下面に塗布した後、前記基板１１の保護層１５と前記シート状の光透過層１７とが接着剤層１６により接合され、厚さ約１．２ｍｍのディスク状の光情報記録媒体が得られる。
【００１９】
次に、上記光透過層１７の好ましい実施形態は次の通りである。すなわち、上記光透過層１７としては、透明な樹脂からなるものが好ましい。より具体的には、例えばポリカーボネート樹脂、アクリル系樹脂、等の光透過性の良好な樹脂からなる厚さ約０．１ｍｍのシートを用いることが好ましい。
上記光透過層１７の厚みは通常４００ｎｍ〜４２０ｎｍ付近の波長のレーザ光が照射されて前記光記録層１４にデータ記録及び／又は前記光記録層１４から読み出しされるように構成されるために、通常０．１ｍｍであることが好ましい。
【００２０】
次に、本発明の実施形態の光情報記録媒体１０の実施例について説明する。（実施例）ガラス原盤上にスピンコート法によってフォトレジスト（感光剤）をそれぞれ所定の厚さで塗布してレジスト膜を形成し、カッティング装置のレーザ光により所定の露光幅寸法となるように露光した後、得られたガラス原盤上に現像液を滴下し、現像処理して、ディスク状の光情報記録媒体の基板の溝に対応した凹凸のレジストパターンを形成した。次に、このガラス原盤上にめっき処理によりニッケルを析出させ、これを剥離し、外形をディスク形状にトリミングしてスタンパを得た。次に、このスタンパを射出成型装置のキャビティ内にセットし、キャビティ内にポリカーボネート樹脂を注入して、一方の主面に螺旋状の溝を有する試料Ｎｏ．１〜２０の基板を得た。この基板の前記螺旋状の溝が形成された主面上にスパッタ装置を用いてＡｇ合金を一様な厚みでスパッタして、前記基板の溝が形成された主面と接する側とは反対側の表面に前記基板の溝に対応する螺旋状のグルーブを備えた厚さ１００ｎｍの光反射層１３を設け、た。さらにこの基板上に厚さ６０ｎｍになるように、前記化学式１に示すアゾ系の有機色素を含有する色素溶液をスピンコート法により塗布した。次に、この基板上にスパッタ装置を用いてＺｎＳ−ＳｉＯ２をスパッタして、厚さ２５ｎｍの保護膜を形成した。次に、この基板上にアクリル樹脂を主成分とする紫外線硬化性の接着剤を塗布した後、この基板上に厚さ０．１ｍｍのポリカーボネート樹脂製のディスク形のシートを貼り合わせ、紫外線を照射して前記接着剤を硬化させて厚さ約１．２ｍｍのディスク状の光情報記録媒体を得た。次に、この光情報記録媒体の前記副情報領域に、それぞれレーザ波長８１０ｎｍ，ビーム径約０．８５μｍ×約３５μｍを有するＢＣＡカッティング装置にて、レーザーパワー５．５Ｗ、カッティング速度１０００ｒｐｍ，半径方向のビーム送り量１０μｍ、記録開始位置２１．０ｍｍ、記録終了位置２２．０ｍｍの条件で、周方向の幅が１０μｍのＢＣＡマーク４を形成し、ディスク状の光情報記録媒体試料を得た。次に、この光情報記録媒体試料の前記副情報領域におけるランド面の反射率ＲＬとグルーブ面の反射率ＲＧとをパルステック社製の市販の記録再生装置ＯＤＵ−１０００を用いて、レーザ波長４０５ｎｍ、開口数ＮＡが０．８５、線速４．９２ｍ／ｓで観察した。また、得られた光情報記録媒体試料のグルーブの形状をＡＦＭで前記光情報記録媒体の半径方向に計測した結果、主情報領域におけるトラックピッチが０．３２μｍ、副情報領域におけるトラックピッチＴｒＢがそれぞれ１．０μｍ、０．３２μｍ、０．２５μｍ、主情報領域及び副情報領域におけるグルーブの半値幅：Ｗがそれぞれ１２０ｎｍ、１４０ｎｍ、１６０ｎｍ、１８０ｎｍ、グルーブの深さ：Ｗがそれぞれ２５ｎｍ、３５ｎｍ、４５ｎｍ、５５ｎｍのグルーブを有するディスク状の光情報記録媒体試料であることを確認した。上記で得られた試料Ｎｏ．１〜２０のディスク状の光情報記録媒体について、副情報領域におけるトラックピッチＴｒＢ，グルーブの深さＤ、グルーブの半値幅Ｗ、及びランド面の反射率ＲＬとグルーブ面の反射率ＲＧとの差ＲＬ−ＲＧの測定結果を表１に示した。
【表１】
2008198276.tif 000004
表１に示されるように、副情報領域１のトラックピッチＴｒＢが０．３２μｍよりも大きい１．０μｍの試料Ｎｏ．１及び２においては、反射率差ＲＬ−ＲＧが３０％を越える６４．３％及び６７．８％であった。また、トラックピッチＴｒＢが０．３２μｍの試料のうち、グルーブの半値幅ＷがＷ≧２Ｄ＋７０の関係を満たす試料Ｎｏ．３，４，７，８，１１，１２，１３，１５，１６，１７及び１８の試料については、それぞれ反射率差：ＲＬ−ＲＧがいずれも３０％未満の１８．１％、２９，６％、１７．２％、２５．９％、１４．８％、２０．３％、２７．１％、７．０％、１１．５％、６．５％、２４．１％であった。一方、グルーブの半値幅ＷがＷ≧２Ｄ＋７０の関係を満たさない試料Ｎｏ．５，６，９，１０及び１４の試料については、それぞれ反射率差ＲＬ−ＲＧがいずれも３０％以上の４２．８％、５３．５％、３６．９％、４９．０％、４０．４％であった。また、トラックピッチＴｒＢが０．３２μｍよりも小さい０．２５μｍの試料Ｎｏ．１９及び２０においては、それぞれ反射率差ＲＬ−ＲＧが３０％未満の１５．５％及び１２．３％であった。  
【００２１】
なお、上記第１の実施形態の光情報記録媒体においては、主情報領域３と該主情報領域３より内周側にミラー領域２を挟んで副情報領域１が設けられたものであったが、本発明はこれに限定するものではなく、例えば、前記ミラー領域２に、さらにプリフォーマット領域を有するものであってもよい。
【図面の簡単な説明】
【００２２】
【図１】本発明の光情報記録媒体の第１の実施形態の全体構造を示す平面図である。
【図２】本発明の光情報記録媒体の第１の実施形態の上記図１において破線で囲まれるＢの領域の内部構造を示す部分拡大断面図である。
【図３】本発明の光情報記録媒体の第１の実施形態の上記図２において  破線で囲まれるＣの領域の詳細を示す部分拡大断面図である。
【図４】背景技術の光情報記録媒体を示す平面図である。
【符号の説明】
【００２３】
１：副情報領域２：ミラー領域３：主情報領域４：ＢＣＡマーク５：中心孔１０：光情報記録媒体１１：基板１２：溝１３：光反射層１３ａ：ランド１３ｂ：グルーブ１４：光記録層１６：接着剤層１７：光透過層Ｄ：グルーブの深さＴｒＢ：トラックピッチＷ：グルーブの半値幅
【図１】
2008198276.tif 000005
【図２】
2008198276.tif 000006
【図３】
2008198276.tif 000007
【図４】
2008198276.tif 000008